(57)【要約】【課題】回転軸を支持する軸受の破損を防止でき、軸受等を小型化できるようにすること。【解決手段】開閉装置用操作器（１）は、開閉装置が有する接点部を動作させて電流の投入、遮断を行う。開閉装置用操作器は、回転軸（１１）によって回転可能に支持された投入カム（１２）と、投入カムの回転中心位置から偏心した位置に相対回転可能に連結されて投入カムを回転可能な投入ロッド（１３）と、回転軸を回転可能に支持する軸受（１４）とを備えている。軸受より投入ロッドの投入動作方向側には、投入カムと接触する支持部（３０）が設けられる。支持部は、投入ロッドの投入動作時に、投入カムに対して回転軸と平行かつ軸受から離間する方向に力を加え、投入カムの回動を抑制する。【選択図】図６
2020035735.tif 000002
【特許請求の範囲】
【請求項１】
開閉装置が有する接点部を動作させて電流の投入、遮断を行う開閉装置用操作器であって、
回転軸によって回転可能に支持された投入カムと、
前記投入カムの回転中心位置から偏心した位置に相対回転可能に連結されて該投入カムを回転可能な投入ロッドと、
前記回転軸を回転可能に支持する軸受と、
前記軸受より前記投入ロッドの投入動作方向側に設けられ、少なくとも投入動作時に前記投入カムと接触する支持部とを備え、
前記支持部は、前記投入ロッドの投入動作時に、前記投入カムに対して前記回転軸と平行かつ前記軸受から離間する方向に力を加えることを特徴とする開閉装置用操作器。
【請求項２】
前記回転軸は前記軸受を介して片持ち支持されていることを特徴とする請求項１に記載の開閉装置用操作器。
【請求項３】
開閉装置が有する接点部を動作させて電流の投入、遮断を行う開閉装置用操作器であって、
回転軸によって回転可能に支持された投入カムと、
前記投入カムの回転中心位置から偏心した位置に突設されたピンと、
前記ピンを介して前記投入カムに相対回転可能に連結されて該投入カムを回転可能な投入ロッドと、
前記ピンより前記投入ロッドの投入動作方向側に設けられ、少なくとも投入動作時に前記投入カムと接触する支持部とを備え、
前記支持部は、前記投入ロッドの投入動作時に、前記投入カムに対して前記ピンと平行かつ前記投入ロッドから離間する方向に力を加えることを特徴とする開閉装置用操作器。
【請求項４】
前記支持部は、前記回転軸と平行に配置されていることを特徴とする請求項１から請求項３のいずれかに記載の開閉装置用操作器。
【請求項５】
前記支持部は、前記投入動作時に前記投入カムに対して摺動する摺動部材を備えていることを特徴とする請求項１から請求項４のいずれかに記載の開閉装置用操作器。
【請求項６】
前記摺動部材は、前記投入カムと接触して転動する球状体とされ、且つ、付勢部材によって該投入カムに押し付けられることを特徴とする請求項５に記載の開閉装置用操作器。
【発明の詳細な説明】
【技術分野】
【０００１】
本発明は、開閉装置用操作器に関し、特に、電流の投入及び遮断を実施するために用いられる開閉装置用操作器に関する。
【背景技術】
【０００２】
一般に、開閉装置においては、電流通電のための主回路を接離する固定接点及び可動接点を有する遮断器と、この遮断器の固定接点に対する可動接点の接離を操作する操作器とを備えている。主回路の遮断は、外部から指示される遮断信号に応じて操作器によって固定接点から可動接点を離間させることで行われる。一方、主回路の電気的な接続は、外部から指示される投入信号に応じて操作器によって固定接点に対して可動接点を接触させることで行われる。
【０００３】
従来、このような開閉装置用操作器として、特許文献１に開示されたものが知られている。特許文献１の操作器にあっては、一対の軸受装置を備え、一の軸受装置で支持されるカム軸の一方側にカムを配置すると共に、他方側に主ギアを配置し、他の軸受装置で支持される主軸の一方側に主レバーを配置すると共に、他方側に接点レバーを配置している。カムは、その表面から突出するピンを介して投入ばねリンクと相対回転可能に連結され、カム及びカム軸は、投入ばねリンクを介して伝達される投入ばねの駆動力によって回転される。カムの回転によって主軸が回転されて接点レバーが動作し、この動作を介して遮断器の電気的な接点が投入される。
【先行技術文献】
【特許文献】
【０００４】
【特許文献１】特開２００１−２８３６９１号公報
【発明の概要】
【発明が解決しようとする課題】
【０００５】
特許文献１の開閉装置用操作器にあっては、カム軸を回転させるために作用する投入ばねの駆動力が投入ばねリンク及びカムを介してカム軸に作用するので、カム軸やピンに交差する軸回りでの曲げモーメントが発生する。かかる曲げモーメントは軸受装置の軸受やピンが受けることとなり、軸受に設けられた複数のコロのうちの一部やピンの基部に負荷が集中して作用する、という問題がある。そのため、長期に亘る使用や連続的な使用を繰り返した場合には、破損等の原因になる、という問題がある。かかる問題を解消すべく軸受の耐強度を高めた場合には、軸受が大型化して軸受のためのスペースを確保する必要があり、操作器の小型化の制約となっている。また、ピンの基部における負荷集中を回避するため、投入ばねリンクを増設した場合も、その増設分のスペースを確保する必要があるので、操作器の小型化の制約となる。
【０００６】
本発明は、このような実情に鑑みてなされたものであり、回転軸を支持する軸受の破損を防止でき、軸受等を小型化することができる開閉装置用操作器を提供することを目的とする。
【課題を解決するための手段】
【０００７】
本発明における一態様の開閉装置用操作器は、開閉装置が有する接点部を動作させて電流の投入、遮断を行う開閉装置用操作器であって、回転軸によって回転可能に支持された投入カムと、前記投入カムの回転中心位置から偏心した位置に相対回転可能に連結されて該投入カムを回転可能な投入ロッドと、前記回転軸を回転可能に支持する軸受と、前記軸受より前記投入ロッドの投入動作方向側に設けられ、少なくとも投入動作時に前記投入カムと接触する支持部を設け、前記支持部は、前記投入ロッドの投入動作時に、前記投入カムに対して前記回転軸と平行かつ前記軸受から離間する方向に力を加えることを特徴とする。
【０００８】
本発明における他の一態様となる開閉装置用操作器は、開閉装置が有する接点部を動作させて電流の投入、遮断を行う開閉装置用操作器であって、回転軸によって回転可能に支持された投入カムと、前記投入カムの回転中心位置から偏心した位置に突設されたピンと、前記ピンを介して前記投入カムに相対回転可能に連結されて該投入カムを回転可能な投入ロッドと、前記ピンより前記投入ロッドの投入動作方向側に設けられ、少なくとも投入動作時に前記投入カムと接触する支持部とを備え、前記支持部は、前記投入ロッドの投入動作時に、前記投入カムに対して前記ピンと平行かつ前記投入ロッドから離間する方向に力を加えることを特徴とする。
【発明の効果】
【０００９】
本発明の上記一態様の開閉装置用操作器によれば、上述のように支持部を設けたので、回転軸に対し、その軸中心に交差する軸回りで曲げモーメントが発生しても、かかる曲げモーメントを投入カムに接触する支持部で受けて回転軸と平行かつ軸受から離間する方向に力を加えることができる。これにより、軸受に作用する曲げモーメントを抑制でき、軸受の一部に負荷が集中することを回避することができる。その結果、軸受が破損することを防止できる上、曲げモーメントに応じた軸受の高強度化が不要になり、軸受の小型化、ひいては、操作器全体の小型化を図ることができる。
【００１０】
本発明の上記他の一態様の開閉装置用操作器によれば、上述のように支持部を設けたので、ピンに対し、その中心に交差する軸回りで曲げモーメントが発生しても、かかる曲げモーメントを投入カムに接触する支持部で受けてピンと平行かつ投入カムから離間する方向に力を加えることができる。これにより、ピンに作用する曲げモーメントを抑制でき、ピンの基部に負荷が集中することを回避することができる。その結果、ピンが破損することを防止できる上、曲げモーメントに応じたピン及び投入ロッド等の増設が不要になり、かかる増設分を省スペース化し、操作器全体の小型化を図ることができる。
【図面の簡単な説明】
【００１１】
【図１】第１の実施の形態に係る操作器の外観構成を説明するための斜視図である。
【図２】上記操作器を図１とは異なる方向から見た斜視図である。
【図３】第１の実施の形態に係る操作器の構成を説明するための斜視図である。
【図４】第１の実施の形態に係る操作器の操作状態を説明するための斜視図である。
【図５】第１の実施の形態に係る操作器の操作状態を説明するための正面図である。
【図６】図５Ａの状態の操作器の一部の構成を上方から見た説明図である。
【図７】第２の実施の形態に係る操作器の図６と同様の説明図である。
【図８】第２の実施の形態に係る操作器の操作状態を説明するための図５と同様の正面図である。
【発明を実施するための形態】
【００１２】
以下、本発明の実施の形態に係る開閉装置用操作器（以下、単に「操作器」という）について、添付の図面を参照しながら詳細に説明する。なお、本発明は、下記の実施の形態に限定されるものではなく、その要旨を変更しない範囲内で適宜変形して実施することができるものである。以下の図においては、説明の便宜上、一部の構成を省略することがある。
【００１３】
本発明に係る操作器は、例えば、三相一括タンク型のガス絶縁開閉装置（以下、単に「開閉装置」という）に適用される。しかしながら、本発明に係る開閉器が適用される開閉装置については、これに限定されるものではなく適宜変更が可能である。例えば、単相タンク型の開閉装置にも適用することができる。
【００１４】
三相一括タンク型の開閉装置においては、ＳＦ６ガス等の絶縁性ガス（消弧性ガス）を充填した金属製のタンク内に三相の消弧室を備えている。各消弧室には、固定部と、この固定部に対して可動する可動部とが設けられている。固定部は、固定側接点及び固定アーク接触子を有し、可動部は、可動側接点及び可動アーク接触子を有する。各消弧室においては、固定側接点と可動側接点が開離する際、アーク接触子（固定アーク接触子及び可動アーク接触子）間に発生するアーク放電に消弧性ガスを吹き付けて消弧する。
【００１５】
［第１の実施の形態］
図１は、第１の実施の形態に係る操作器の外観構成を説明するための斜視図である。図２は、上記操作器を図１とは異なる方向から見た斜視図である。図１及び図２に示す操作器１は、例えば、開閉装置の消弧室の下方側に配置される。操作器１は、開閉装置の可動部に後述する操作ロッド５３（図３参照）を介して連結される。操作器１は、かかる操作ロッド５３を介して可動部を上下方向に往復動作させる。これにより、固定側接点と可動側接点とが接離可能に構成されている。すなわち、操作器１は、開閉装置が有する接点部の開閉を操作することができる。
【００１６】
以下、本実施の形態に係る操作器１の構成について、図１及び図２を参照して説明する。なお、以下においては、図１及び図２に示す左右方向を操作器１の左右方向とし、左方側を矢印Ｌ、右方側を矢印Ｒと示す。また、図１及び図２に示す上下方向を操作器１の上下方向として説明するものとする。また、以下においては、図１に示す紙面手前側を操作器１の前方側として矢印ＦＲ、図１及び図２に示す紙面奥側を操作器１の後方側として矢印ＲＥを用いて説明するものとする。さらに、図１及び図２においては、開閉装置の接点部を閉路状態（投入状態）とした場合における操作器１を示している。
【００１７】
図１及び図２に示すように、操作器１は、回転軸１１、投入カム１２、投入ロッド１３及び軸受１４（図１では不図示）を備えている。回転軸１１は前後方向に延出しており、その一端側（前端側）に投入カム１２が支持されて一体に設けられている。回転軸１１に支持される投入カム１２の後方には、壁面部１６、１７が前後に一対となって並んで設けられている。
【００１８】
前方の壁面部１６の前面側には、回転軸１１を挿通する軸受１４が装着されている。これにより、回転軸１１が壁面部１６及び軸受１４によって回転可能に支持され、回転軸１１周りにおいて投入カム１２が回転可能となっている。軸受１４を挿通した回転軸１１は前方の壁面部１６を貫通し、他端側（後端側）が前後の壁面部１６、１７の間に延出している。軸受１４としては、内輪及び外輪の間に複数のコロを配設した転がり軸受を用いることが例示できる。
【００１９】
壁面部１６、１７は、連結軸１８を介して前後に所定距離離れた状態で連結され、それらの間に複数のギアが組み合わされて構成されるギア機構２０（図３参照）が設けられている。ギア機構２０は、回転軸１１の後端側に接続され、モータ等からなる不図示の駆動源の駆動力を伝達して回転軸１１及び投入カム１２を正面視で反時計方向に回転操作可能に設けられる。なお、ギア機構２０は、上記回転操作時に回転軸１１と接続される一方、投入状態では回転軸１１との動力伝達が遮断される切離機構（不図示）を介して接続される。
【００２０】
投入カム１２は、円筒状に形成される基部１２ａと、基部１２ａの左側に突出する突出部１２ｂとを備えている。突出部１２ｂは、正面視で回転軸１１を中心とする時計回りにて径寸法が次第に大きくなるように形成されている。突出部１２ｂは、前後に二股に分割された形状に形成されている。突出部１２ｂの前面には、ロッドピン２２が突設され、該ロッドピン２２には投入ロッド１３の左端側がベアリング２３を介して連結されている。従って、ロッドピン２２と投入ロッド１３とは相対回転可能に連結される。かかる連結位置は、回転軸１１から離れた突出部１２ｂとなるので、投入カム１２の回転中心位置から偏心した位置とされる。
【００２１】
投入ロッド１３の右端側には円板状の受け体２４が設けられ、この受け体２４に投入ロッド１３を貫通する投入ばね２６（図１及び２では不図示、図５参照）の右端側が圧接される。投入ばね２６は、開閉装置の接点部を閉路状態とし、接点部間を通電するための付勢力を発揮可能とされる。投入ばね２６、受け体２４及び投入ロッド１３の右側領域は、ばねケース（不図示）の内部に収容される。なお、投入ばね２６は、圧縮コイルばねとすることが例示できる。
【００２２】
投入カム１２は、投入ラッチ（不図示）によって回転軸１１周りの回転が規制されたり該規制が解除されたりする。具体的には、投入ラッチは、投入ばね２６の畜勢時に投入カム１２を回転規制すべく投入カム１２と係止される。また、投入ラッチは、ソレノイドの電磁力により投入カム１２との係止が解除され、投入カム１２の回転を許容して投入ばね２６が放勢されるようになる。
【００２３】
なお、軸受１４の右側隣接位置には支持部３０（図１では不図示）が設けられている。
支持部３０の具体的な構成及び作用については、後述する。
【００２４】
操作器１は、回転軸１１の下方で前後方向に延びる開閉軸４１と、開閉軸４１の一端側（前端側）に連結支持されたアーム部４２と、アーム部４２に連結されて左右方向に延出する遮断ロッド４３とを更に備えている。開閉軸４１は、軸受（不図示）によって回転可能に支持されている。アーム部４２は、開閉軸４１から概して右上方向に延出する第１アーム４５と、概して左下方向に延出する第２アーム４６と、概して左方向に延出する第３アーム４７とを備えている。
【００２５】
第１アーム４５の先端には、投入カム１２と接触して転動するローラ４８が設けられている。第２アーム４６の先端は、ピン４９を介して遮断ロッド４３の左端側と回転自在に連結されている。
【００２６】
開閉軸４１における第３アーム４７の後方位置には、第１レバー部５１が連結されている。第１レバー部５１は、第２アーム４６と同様に開閉軸４１から概して左下方向に延出している。第３アーム４７は、後述する遮断ラッチに係止可能とされる。第１レバー部５１は、衝撃吸収用のダンパ（不図示）に接続される。
【００２７】
遮断ロッド４３の右端側には円板状の受け体５４が設けられ、この受け体５４に遮断ロッド４３を貫通する遮断ばね５６（図１及び２では不図示、図５参照）の右端側が圧接される。遮断ばね５６は、開閉装置の接点部を開路状態とし、接点部間の通電状態を遮断するための付勢力を発揮可能とされる。遮断ばね５６、受け体５４及び遮断ロッド４３の右側領域は、ばねケース（不図示）の内部に収容される。なお、遮断ばね５６は、圧縮コイルばねとすることが例示できる。
【００２８】
アーム部４２にあっては、遮断ラッチ（不図示）によって開閉軸４１周りの回転が規制されたり該規制が解除されたりする。具体的には、遮断ラッチは、遮断ばね５６の畜勢時にアーム部４２を回転規制すべくアーム部４２と係止される。また、遮断ラッチは、ソレノイドの電磁力等によりアーム部４２との係止が解除され、アーム部４２の回転を許容して遮断ばね５６が放勢されるようになる。
【００２９】
図３は、上記操作器の構成を説明するための斜視図である。図３では、壁面部１６、１７、連結軸１８を省略し、図１及び図２に対して後述の第２レバー部５２及び操作ロッド５３を追加記載している。図３に示すように、開閉軸４１における第１レバー部５１の後方位置には、第２レバー部５２が連結されている。第２レバー部５２は、開閉軸４１から概して左上方向に延出している。第２レバー部５２の上端側には、操作ロッド５３が相対回転自在に連結されている。操作ロッド５３は、第２レバー部５２との連結位置から上方に延出し、開閉装置の可動部に連結される。
【００３０】
図３の状態から遮断ロッド４３が矢印Ｄ１１方向（右方向）に移動されると、アーム部４２及び開閉軸４１が矢印Ｄ１２方向に回転され、第２レバー部５２が矢印Ｄ１３方向に回転される。すると、操作ロッド５３が矢印Ｄ１４方向（下方）に移動され、開閉装置の可動部を下方に移動して開路状態（遮断状態）とすることができる。
【００３１】
一方、かかる開路状態からアーム部４２及び開閉軸４１が矢印Ｄ２２方向に回転され、第２レバー部５２が矢印Ｄ２３方向に回転されると、操作ロッド５３が矢印Ｄ２４方向（上方）に移動される。これにより、開閉装置の可動部を上方に移動して閉路状態（投入状態）とすることができる。このとき、アーム部４２の回転によって遮断ロッド４３が矢印Ｄ２１方向（左方向）に移動される。
【００３２】
次に、本実施の形態に係る操作器にて開閉装置を開路状態から閉路状態とする操作について、図４及び図５を参照して説明する。図４は、第１の実施の形態に係る操作器の操作状態を説明するための斜視図である。図５は、第１の実施の形態に係る操作器の操作状態を説明するための正面図である。図４Ａ及び図５Ａにおいては、開閉装置を開路状態（遮断状態）とした場合の操作器の操作状態を示す。図４Ｂ及び図５Ｂにおいては、開閉装置を開路状態から閉路状態（投入状態）にする中途の操作器の操作状態を示している。図４Ｃ及び図５Ｃにおいては、開閉装置を閉路状態とした場合の操作器の操作状態を示している。なお、図４Ａ〜図４Ｃでは、投入ばね２６及び遮断ばね５６の図示を省略する。
【００３３】
図４Ａ及び図５Ａの開路状態では、ギア機構２０（図５Ａでは不図示）等を介して投入カム１２を正面視で反時計方向に約１８０°回転操作した後の状態であり、投入ばね２６が圧縮されて畜勢された状態とされる。また、遮断ばね５６は、自然長よりは若干圧縮されているものの概して放勢された状態とされる。
【００３４】
この状態から、投入状態に移行する場合、開閉装置の開閉を制御する制御装置からの指示の下、投入カム１２に係止する投入ラッチを解除して投入カム１２の回転規制を解除する。すると、畜勢された投入ばね２６のばね力で投入ロッド１３が矢印Ｄ３１方向（右方向）に移動（投入動作）し、この移動によって投入ロッド１３に連結された投入カム１２が矢印Ｄ３２方向に回転する。
【００３５】
上記のように投入カム１２の回転が進行すると、アーム部４２のローラ４８が投入カム１２の基部１２ａに接触した状態を維持しながら転動する。そして、図４Ｂ及び図５Ｂに示すように、投入カム１２の突出部１２ｂが概ね下向きになるまで矢印Ｄ３２方向に回転すると、ローラ４８（図４Ｂでは不図示）に投入カム１２の突出部１２ｂが接触する。この接触後も投入カム１２の回転は更に継続され、拡大する突出部１２ｂの径寸法に応じてローラ４８に矢印Ｄ３３方向に押し出す力が作用する。かかる矢印Ｄ３３方向の力によって、アーム部４２が矢印Ｄ３４方向に回転する。
【００３６】
かかるアーム部４２の回転によって、遮断ロッド４３が矢印Ｄ３５方向（左方向）に移動し、遮断ばね５６の圧縮が開始される。また、アーム部４２の回転と共に開閉軸４１も矢印Ｄ３４方向に回転し、上述したように操作ロッド５３（図３参照）及び開閉装置の可動部における上方の移動が開始される。
【００３７】
上記のように投入カム１２及びアーム部４２の回転が進行し、図４Ｃ及び図５Ｃに示す状態で、操作ロッド５３を介して開閉装置の可動部側の接点部が固定部側の接点部に接触し、接点部間が通電状態となって投入状態への移行が完了する。この状態では、投入カム１２の突出部１２ｂが概ね右向きになり、該突出部１２ｂの先端とローラ４８とが隙間を隔てて配置される。この隙間が生じる直前にて、遮断ラッチがアーム部４２の第３アーム４７に係止し、アーム部４２及び開閉軸４１の回転を規制する。かかる回転規制によって、遮断ばね５６が圧縮されて畜勢された状態に維持される。なお、投入ばね２６は、自然長よりは若干圧縮されているものの概して放勢された状態とされる。
【００３８】
このような操作器１において、投入カム１２の何れの回転位置においても、投入ばね２６の畜勢したばね力が投入ロッド１３を介して投入カム１２に作用する。特に、図５Ａに示す投入ばね２６を畜勢した状態では、投入ばね２６のばね力が投入カム１２に強く作用し、図５Ｃに示す状態でも、投入ばね２６は若干圧縮されるので、そのばね力が投入カム１２にある程度作用する。ここで、投入カム１２に作用する投入ばね２６のばね力について図６の説明図を用いて以下に説明する。図６は、図５Ａの状態の操作器の一部の構成を上方から見た説明図である。
【００３９】
図６に示すように、畜勢された投入ばね２６のばね力で投入ロッド１３に投入動作方向となる矢印Ｄ４１方向（右方向）の力が作用すると、投入ロッド１３に接続されるロッドピン２２に同じ方向の力が加わる。そして、その力は、ロッドピン２２を含む投入カム１２と、投入カム１２と一体となる回転軸１１に作用する。回転軸１１は軸受１４を介して片持ち支持された状態となるので、回転軸１１から軸受１４に対して曲げ（回転）モーメントが作用する。この曲げモーメントは、回転軸１１の前後方向に延びる軸中心に対して交差する軸回りで作用する。具体的には、上下方向（図６中紙面直交方向）に延びる軸Ａ回りで矢印Ｄ４２方向の曲げモーメントが作用する。
【００４０】
このような曲げモーメントが発生することに対応すべく、本実施の形態では、軸受１４の近傍位置に投入カム１２を支持するための支持部３０を設けている。
【００４１】
支持部３０は、回転軸１１と平行になるよう前後方向に延出するボールプランジャによって構成される。支持部３０は、軸受１４より投入ロッド１３の投入動作方向側となる右側に若干離れた位置或いは右側近傍に設けられている。支持部３０は、摺動部材３１、付勢部材３２及びケース３３を備えて構成されている。
【００４２】
摺動部材３１は、投入カム１２の裏面１２ｃに接触して転動する球状体とされ、投入カム１２の裏面１２ｃに対して摺動するようになる。具体的には、摺動部材３１は、投入カム１２の基部１２ａにおける外周寄りとなる裏面１２ｃ位置に概して点接触するように設けられる。付勢部材３２は、摺動部材３１を前方（投入カム１２の方向）に向かって付勢するものであればよく、前後方向に向けられた圧縮コイルばねとすることが例示できる。付勢部材３２は、自然長より圧縮した状態とされ、摺動部材３１を投入カム１２の裏面１２ｃに押し付けている。
【００４３】
ケース３３は、前方の壁面部１６の前面側に固定されている。ケース３３は、摺動部材３１の後部領域及び付勢部材３２を収容する筒状体によって形成されている。ケース３３は、摺動部材３１の円滑な転動を許容するよう摺動部材３１を支持している。
【００４４】
上述のように矢印Ｄ４２方向の曲げモーメントが発生した場合、支持部３０が投入カム１２からの矢印Ｄ４３方向の力を受けることとなる。このとき、かかる力に抗する力、言い換えると、投入カム１２に対して回転軸１１と平行かつ軸受１４から離間する方向の力を支持部３０が加えるようになる。この力によって、投入カム１２の軸Ａ回りでの回動を抑制して回転軸１１から軸受１４に対して作用する曲げモーメントも抑制することができる。これにより、軸受１４の右側の一部分におけるコロ等に負荷が集中することを回避でき、長期間の使用や連続的に繰り返し使用しても軸受１４の破損等を防いで耐久性を高めることができる。その結果、曲げモーメントに応じた軸受１４の高剛性化、高強度化を不要とすることができ、軸受１４の小型化だけでなく、操作器１全体の小型化を図ることができる。
【００４５】
また、回転軸１１を中心とする投入カム１２の回転中、つまり、図５に示した投入動作中、支持部３０の摺動部材３１を投入カム１２の裏面１２ｃに接触して転動させることができる。言い換えると、図５の投入動作で１８０°回転する投入カム１２に対し、略半円弧の軌跡に沿って摺動部材３１を接触して投入カム１２を支持部３０で支持することができる。これにより、投入動作の前や後の投入カム１２が停止した状態だけでなく、投入動作の最中であっても、投入カム１２の軸Ａ回りで回動を抑制でき、軸受１４に作用する曲げモーメントを軽減することが可能となる。
【００４６】
また、回転軸１１と平行に配設されるボールプランジャによって支持部３０を構成したので、汎用品を用いて簡単且つコストを抑えて支持部３０を設けることができる。
【００４７】
ここで、例えば回転軸１１を支持する軸受を増設すれば、それぞれの軸受に作用する曲げモーメントを抑制できるが、操作器１全体が大型化するだけでなく、ギア機構２０の設置ができなくなる、という問題がある。また、軸受及び回転軸を大径化すれば、曲げモーメントによって投入カム１２が矢印Ｄ４３方向に回動することを抑制できるが、軸受及び回転軸が大型化、高重量化し、この場合も操作器１全体が大型化する、という問題がある。この点、本実施の形態では、支持部３０によって軸受１４に作用する曲げモーメントを抑制することで、回転軸１１を軸受１４で片持ち支持可能として、上記問題を解消することが可能となる。
【００４８】
［第２の実施の形態］
次に、本発明の第２の実施の形態について図７及び図８を参照して説明する。なお、以下の説明において、第１の実施の形態と同一若しくは同等の構成部分については同一符号を用いる場合があり、説明を省略若しくは簡略にする場合がある。
【００４９】
図７は、第２の実施の形態に係る操作器の図６と同様の説明図である。図８は、該操作器の操作状態を説明するための図５と同様の正面図である。図７及び図８に示すように、第２の実施の形態では、第１の実施の形態に対し、支持部３０の配設位置を変更している。
【００５０】
ここで、図７に示すように、上記と同様の操作器１にて、畜勢された投入ばね２６（図８参照）のばね力で投入ロッド１３に投入動作方向となる矢印Ｄ４１方向（右方向）の力が作用する場合を検討する。この場合、投入カム１２の表面（前面）１２ｄから突設したロッドピン（ピン）２２に同じ方向の力が加わり、ロッドピン２２は片持ち支持された状態となるので、ロッドピン２２の基部に対して投入ロッド１３から曲げ（回転）モーメントが作用する。この曲げモーメントは、ロッドピン２２の前後方向に延びる軸中心に対して交差する軸回りで作用する。具体的には、上下方向（図７中紙面直交方向）に延びる軸Ａ２回りで矢印Ｄ４５方向の曲げモーメントが作用する。
【００５１】
このような曲げモーメントが発生することに対応すべく、本実施の形態では、投入ロッド１３に対し、投入ロッド１３自体を支持するための支持部３０を設けている。
【００５２】
支持部３０は、第１の実施の形態と設置位置及びサイズが異なるものの同様の構成をなすものである。支持部３０は、投入ロッド１３における投入カム１２への対向面（後面）であって、ロッドピン２２より投入ロッド１３の投入動作方向側となる右側に若干離れた位置或いは右側近傍に設けられている。
【００５３】
第２の実施の形態において、摺動部材３１は、投入カム１２の表面１２ｄに接触して転動され、投入カム１２の表面１２ｄに対して摺動するようになる。具体的には、摺動部材３１は、投入カム１２の基部１２ａにおける外周寄りとなる表面１２ｄ位置に概して点接触するように設けられる。
【００５４】
付勢部材３２は、摺動部材３１を後方（投入カム１２の方向）に向かって付勢し、摺動部材３１を投入カム１２の表面１２ｄに押し付けている。ケース３３は、投入ロッド１３の後面側に埋設されている。ケース３３は、摺動部材３１の前部領域及び付勢部材３２を収容する筒状体によって形成されている。
【００５５】
上述のように矢印Ｄ４５方向の曲げモーメントが発生した場合、投入ロッド１３の後面が投入カム１２の表面１２ｄに接近するようになり、支持部３０が投入カム１２からの矢印Ｄ４６方向の力を受けることとなる。このとき、かかる力に抗する力、言い換えると、投入カム１２に対してロッドピン２２と概略平行かつ投入ロッド１３から離間する方向の力を支持部３０が加えるようになる。この力によって、投入ロッド１３の軸Ａ２回りでの回動を抑制して投入ロッド１３からロッドピン２２に対して作用する曲げモーメントも抑制することができる。これにより、ロッドピン２２の基部等に負荷が集中することを回避でき、長期間の使用や連続的に繰り返し使用してもロッドピン２２の破損等を防いで耐久性を高めることができる。その結果、曲げモーメントに応じたロッドピン２２及びその周辺構造の高剛性化、高強度化を不要とすることができ、構成の簡略化を図ることができる。
【００５６】
また、回転軸１１を中心とする投入カム１２の回転中、つまり、図８に示した投入動作中、支持部３０の摺動部材３１を投入カム１２の表面１２ｄに接触して転動させることができる。言い換えると、図８の投入動作で１８０°回転する投入カム１２に対し、略半円弧の軌跡に沿って摺動部材３１を接触して支持部３０で投入ロッド１３を支持することができる。これにより、投入動作の前や後の投入カム１２が停止した状態だけでなく、投入動作の最中であっても、ロッドピン２２の軸Ａ２回りで回動を抑制でき、ロッドピン２２に作用する曲げモーメントを軽減することが可能となる。
【００５７】
ここで、例えば回転軸１１の後端側にもロッドピンを有する投入カム及び投入ロッドを増設すれば、それぞれのロッドピンに作用する曲げモーメントを抑制できるが、操作器１全体が大型化する、という問題がある。この点、本実施の形態では、支持部３０によってロッドピン２２に作用する曲げモーメントを抑制することで、投入カム１２及び投入ロッド１３を操作器１の前方に１体ずつ設けた簡略且つコンパクトな構成として、上記問題を解消することが可能となる。
【００５８】
なお、本発明は上記各実施の形態に限定されず、種々変更して実施することが可能である。上記実施の形態において、添付図面に図示されている大きさや形状、向きなどについては、これに限定されず、本発明の効果を発揮する範囲内で適宜変更することが可能である。その他、本発明の目的の範囲を逸脱しない限りにおいて適宜変更して実施することが可能である。
【００５９】
上記各実施の形態において、支持部３０の摺動部材３１を球状体としたが、これに限定されるものでなく、例えば、転動不能な突起物として投入カム１２の裏面１２ｃ或いは表面１２ｄに接触するようにしてもよい。但し、摺動部材３１が転動した方が、摺動部材３１と投入カム１２との摩擦を軽減して摺動部材３１との接触が投入カム１２の回転に対する負荷となり難くなる点で有利となる。
【００６０】
また、上記第１の実施の形態では、投入ロッド１３の投入動作方向側として、回転軸１１及び軸受１４の右側に支持部３０を配設したが、投入カム１２が回動して発生する曲げモーメントを抑制できる限りにおいて、図示した位置より上下にずれた位置にする等、変更してもよい。更に、上記第２の実施の形態では、投入ロッド１３の投入動作方向側として、ロッドピン２２の右側に支持部３０を配設したが、投入ロッド１３が回動して発生する曲げモーメントを抑制できる限りにおいて、図示した位置より上下にずれた位置等に変更してもよい。
【００６１】
また、支持部３０において、摺動部材３１が投入カム１２に常時接触する構成に限られるものでない。例えば、それらの間に隙間を設け、投入動作によって、投入カム１２に上述した矢印Ｄ４２方向の曲げモーメント（図６参照）、或いは投入ロッド１３に上述した矢印Ｄ４５方向の曲げモーメント（図７参照）が発生したときに摺動部材３１が投入カム１２に接触するようにしてもよい。
【００６２】
また、上記第１の実施の形態では、投入ロッド１３から伝達される力で投入カム１２が回動することを支持部３０で抑制する構成としたが、同様の支持部をアーム部４２に対して設けてもよい。この構成によれば、遮断ロッド４３から伝達される力にて、開閉軸４１の軸中心に交差する軸回りで曲げモーメントが発生しても、該曲げモーメントをアーム部４２を支持する支持部で受けることができる。
【符号の説明】
【００６３】
１  開閉装置用操作器（操作器）
１１  回転軸
１２  投入カム
１３  投入ロッド
１４  軸受
２２  ロッドピン（ピン）
３０  支持部
３１  摺動部材
３２  付勢部材
【図１】
2020035735.tif 000003
【図２】
2020035735.tif 000004
【図３】
2020035735.tif 000005
【図４】
2020035735.tif 000006
【図５】
2020035735.tif 000007
【図６】
2020035735.tif 000008
【図７】
2020035735.tif 000009
【図８】
2020035735.tif 000010